【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
情報コードが含まれる撮像画像における当該情報コードの配置態様と、当該情報コードに対応付けられた表示制御が行われる所定の配置態様との関係を、取得する取得部と、
ユーザに対する前記関係の通知を制御する制御部と、
を備える情報処理装置。
【請求項２】
前記通知は、前記撮像画像の表示画面において前記関係を通知することを含む、請求項１に記載の情報処理装置。
【請求項３】
前記通知は、前記関係に対応するオブジェクトを前記表示画面において表示することにより、前記関係を通知することを含む、請求項２に記載の情報処理装置。
【請求項４】
前記オブジェクトは、前記関係を示すオブジェクトである、請求項３に記載の情報処理装置。
【請求項５】
前記オブジェクトは、前記関係を示す動きを伴うオブジェクトである、請求項３に記載の情報処理装置。
【請求項６】
前記オブジェクトは、前記関係に対応する文字情報を含むオブジェクトである、請求項３に記載の情報処理装置。
【請求項７】
前記通知は、前記関係に応じて加工された前記撮像画像を前記表示画面において表示することにより、前記関係を通知することを含む、請求項２に記載の情報処理装置。
【請求項８】
前記取得部は、前記撮像画像における前記情報コードの前記配置態様と、当該情報コードに対応付けられた表示制御が行われる複数の所定の配置態様の各々との関係を取得し、
前記通知は、前記複数の所定の配置態様のうちの、前記撮像画像における前記情報コードの前記配置態様により近い配置態様を、前記表示画面において示すことにより、前記関係を通知することを含む、
請求項２〜７のいずれか１項に記載の情報処理装置。
【請求項９】
前記通知は、前記関係を通知するための所定の動作の程度により前記関係を通知することを含む、請求項１に記載の情報処理装置。
【請求項１０】
前記所定の動作は、音声出力を含む、請求項９に記載の情報処理装置。
【請求項１１】
前記所定の動作は、装置の振動を含む、請求項９又は１０に記載の情報処理装置。
【請求項１２】
前記所定の動作は、前記撮像画像の表示画面における表示の変化を含む、請求項９〜１１のいずれか１項に記載の情報処理装置。
【請求項１３】
前記撮像画像における前記情報コードの前記配置態様は、前記撮像画像における前記情報コードの位置を含み、
前記所定の配置態様は、所定の位置を含み、
前記関係は、前記撮像画像における当該情報コードの前記位置と前記所定の位置との位置関係を含む、
請求項１〜１２のいずれか１項に記載の情報処理装置。
【請求項１４】
前記撮像画像における前記情報コードの前記配置態様は、前記撮像画像における前記情報コードの大きさを含み、
前記所定の配置態様は、所定の大きさを含み、
前記関係は、前記撮像画像における前記情報コードの前記大きさと前記所定の大きさとの大きさ関係を含む、
請求項１〜１３のいずれか１項に記載の情報処理装置。
【請求項１５】
前記撮像画像における前記情報コードの前記配置態様は、前記撮像画像における前記情報コードの角度を含み、
前記所定の配置態様は、所定の角度を含み、
前記関係は、前記撮像画像における前記情報コードの前記角度と前記所定の角度との角度関係を含む、
請求項１〜１４のいずれか１項に記載の情報処理装置。
【請求項１６】
前記所定の配置態様は、前記情報コードに対して個別に定められる、請求項１〜１５のいずれか１項に記載の情報処理装置。
【請求項１７】
前記取得部は、前記情報コードに含まれるデータを取得し、
前記制御部は、前記データに対応する配置態様を、前記所定の配置態様として決定する、
請求項１６に記載の情報処理装置。
【請求項１８】
前記撮像画像の表示画面において、前記所定の配置態様が示される、請求項１〜１７のいずれか１項に記載の情報処理装置。
【請求項１９】
コンピュータを、
情報コードが含まれる撮像画像における当該情報コードの配置態様と、当該情報コードに対応付けられた表示制御が行われる所定の配置態様との関係を、取得する取得部と、
ユーザに対する前記関係の通知を制御する制御部と、
として機能させるためのプログラム。
【請求項２０】
情報コードが含まれる撮像画像における当該情報コードの配置態様と、当該情報コードに対応付けられた表示制御が行われる所定の配置態様との関係を、取得することと、
ユーザに対する前記関係の通知を制御することと、
を含む情報処理方法。
【手続補正２】
【補正対象書類名】明細書
【補正対象項目名】００１３
【補正方法】変更
【補正の内容】
【００１３】
なお、説明は以下の順序で行うものとする。
１．情報処理システムの概略的な構成
２．各装置の構成
２．１．端末装置の構成
２．２．サーバの構成
３．配置態様関係通知の具体例
３．１．表示画面での表示による配置態様関係の通知
３．２．通知動作の程度による配置態様関係の通知
４．処理の流れ
５．変形例
５．１．変形例の概略
５．２．各装置の構成
５．３．情報コードに応じた所定の配置態様の具体例
５．４．処理の流れ
６．まとめ
【手続補正３】
【補正対象書類名】明細書
【補正対象項目名】００７９
【補正方法】変更
【補正の内容】
【００７９】
図１２Ａは、複数の所定の配置態様の一例を説明するための説明図である。図１２Ａを参照すると、情報コード２０に対応付けられた表示制御が行われる３つの所定の配置態様が、撮像画像の表示画面４０において、領域５７Ａ、領域５７Ｂ及び領域５７Ｃとして示されている。また、各領域５７には、領域に固有のオブジェクト３１が示されている。
【手続補正４】
【補正対象書類名】明細書
【補正対象項目名】００８１
【補正方法】変更
【補正の内容】
【００８１】
図１３Ａは、撮像画像における情報コードの配置態様により近い所定の配置態様を示す手法の第１の例を説明するための説明図である。図１３Ａを参照すると、例えば、３つの所定の配置態様のうちの１つをそれぞれ示す領域５７Ａ、領域５７Ｂ及び領域５７Ｃが、示されている。ここで、領域５７Ｃが、情報コード２０に最も近い。また、領域５７Ｂは、領域５７Ａよりも情報コード２０により近い。この例では、領域５７Ｃが、太枠で囲われ、領域５７Ｂが、より細い枠で囲われる。一方、領域５７Ａは、枠で囲われない。このように、領域５７のうちのより近い領域５７を、より太い枠で囲うことにより、撮像画像における情報コード２０の配置態様により近い配置態様（即ち、領域５７）が、表示画面において示される。
【手続補正５】
【補正対象書類名】明細書
【補正対象項目名】００８２
【補正方法】変更
【補正の内容】
【００８２】
図１３Ｂは、撮像画像における情報コードの配置態様により近い所定の配置態様を示す手法の第２の例を説明するための説明図である。この例でも、図１３Ａと同様に、領域５７Ｃが、情報コード２０に最も近く、領域５７Ｂは、領域５７Ａよりも情報コード２０により近い。そして、この例では、領域５７Ｃは、最も明るく表示され、領域５７Ｂは、その次に明るく表示される。そして、領域５７Ａは、領域５７Ｂよりも暗く表示される。このように、領域５７のうちのより近い領域５７を、より明るく表示することにより、撮像画像における情報コード２０の配置態様により近い配置態様（即ち、領域５７）が、表示画面において示される。
【手続補正６】
【補正対象書類名】明細書
【補正対象項目名】００８３
【補正方法】変更
【補正の内容】
【００８３】
＜３．２．通知動作の程度による配置態様関係の通知＞
また、配置態様関係は、例えば、所定の動作の程度により通知され得る。即ち、配置態様関係の通知は、配置態様関係を通知するための所定の動作の程度により配置態様関係を通知することを含む。例えば、端末装置１００の制御部１７０は、配置態様関係を通知するための所定の動作の程度を決定することにより、配置態様関係の通知を制御する。
【手続補正７】
【補正対象書類名】明細書
【補正対象項目名】０１０１
【補正方法】変更
【補正の内容】
【０１０１】
ステップＳ５１９で、制御部１７０は、表示部１４０に、情報コードに対応付けられたコンテンツを表示させる。そして、処理は、ステップＳ５０１へ戻る。
【手続補正８】
【補正対象書類名】明細書
【補正対象項目名】０１０２
【補正方法】変更
【補正の内容】
【０１０２】
ステップＳ５２１で、制御部１７０は、検出された配置態様と所定の配置態様との関係（即ち、配置態様関係）に対応するオブジェクトを決定する。そして、ステップＳ５２３で、御部１７０は、表示部１４０に、決定されたオブジェクトを表示させる。そして、処理は、ステップＳ５０１へ戻る。
【手続補正９】
【補正対象書類名】明細書
【補正対象項目名】０１１７
【補正方法】変更
【補正の内容】
【０１１７】
＜５．３．情報コードに応じた所定の配置態様の具体例＞
上述したように、本実施形態では、情報コードに対応付けられた表示制御が行われる所定の配置態様は、情報コードに対して個別に定められる。以下、このような配置態様の具体例を、図１８Ａ〜図１８Ｄを参照して説明する。
【手続補正１０】
【補正対象書類名】明細書
【補正対象項目名】０１２２
【補正方法】変更
【補正の内容】
【０１２２】
＜５．４．処理の流れ＞
次に、図１９Ａ及び図１９Ｂを参照して、本実施形態の変形例に係る情報処理の一例を説明する。
【手続補正１１】
【補正対象書類名】明細書
【補正対象項目名】０１２５
【補正方法】変更
【補正の内容】
【０１２５】
ステップＳ５３３で、制御部１７０は、上記情報コードに対応付けられた配置態様を、上記所定の配置態様として決定する。その結果、決定された当該配置態様を示すオブジェクトが、表示画面において表示される。
【手続補正１２】
【補正対象書類名】明細書
【補正対象項目名】０１４２
【補正方法】変更
【補正の内容】
【０１４２】
これにより、ユーザは、特定のオブジェクトを見ていなくても、撮像画像の表示画面を見ていれば、情報コードをどのように配置すればよいかを容易に知ることができる。
【手続補正１３】
【補正対象書類名】明細書
【補正対象項目名】０１４５
【補正方法】変更
【補正の内容】
【０１４５】
また、例えば、上記通知は、上記関係を通知するための所定の動作の程度により上記関係を通知することを含む。
【手続補正１４】
【補正対象書類名】明細書
【補正対象項目名】０１６８
【補正方法】変更
【補正の内容】
【０１６８】
なお、以下のような構成も本開示の技術的範囲に属する。
（１）
情報コードが含まれる撮像画像における当該情報コードの配置態様と、当該情報コードに対応付けられた表示制御が行われる所定の配置態様との関係を、取得する取得部と、
ユーザに対する前記関係の通知を制御する制御部と、
を備える情報処理装置。
（２）
前記通知は、前記撮像画像の表示画面において前記関係を通知することを含む、前記（１）に記載の情報処理装置。
（３）
前記通知は、前記関係に対応するオブジェクトを前記表示画面において表示することにより、前記関係を通知することを含む、前記（２）に記載の情報処理装置。
（４）
前記オブジェクトは、前記関係を示すオブジェクトである、前記（３）に記載の情報処理装置。
（５）
前記オブジェクトは、前記関係を示す動きを伴うオブジェクトである、前記（３）に記載の情報処理装置。
（６）
前記オブジェクトは、前記関係に対応する文字情報を含むオブジェクトである、前記（３）に記載の情報処理装置。
（７）
前記通知は、前記関係に応じて加工された前記撮像画像を前記表示画面において表示することにより、前記関係を通知することを含む、前記（２）に記載の情報処理装置。
（８）
前記取得部は、前記撮像画像における前記情報コードの前記配置態様と、当該情報コードに対応付けられた表示制御が行われる複数の所定の配置態様の各々との関係を取得し、
前記通知は、前記複数の所定の配置態様のうちの、前記撮像画像における前記情報コードの前記配置態様により近い配置態様を、前記表示画面において示すことにより、前記関係を通知することを含む、
前記（２）〜（７）のいずれか１項に記載の情報処理装置。
（９）
前記通知は、前記関係を通知するための所定の動作の程度により前記関係を通知することを含む、前記（１）に記載の情報処理装置。
（１０）
前記所定の動作は、音声出力を含む、前記（９）に記載の情報処理装置。
（１１）
前記所定の動作は、装置の振動を含む、前記（９）又は（１０）に記載の情報処理装置。
（１２）
前記所定の動作は、前記撮像画像の表示画面における表示の変化を含む、前記（９）〜（１１）のいずれか１項に記載の情報処理装置。
（１３）
前記撮像画像における前記情報コードの前記配置態様は、前記撮像画像における前記情報コードの位置を含み、
前記所定の配置態様は、所定の位置を含み、
前記関係は、前記撮像画像における当該情報コードの前記位置と前記所定の位置との位置関係を含む、
前記（１）〜（１２）のいずれか１項に記載の情報処理装置。
（１４）
前記撮像画像における前記情報コードの前記配置態様は、前記撮像画像における前記情報コードの大きさを含み、
前記所定の配置態様は、所定の大きさを含み、
前記関係は、前記撮像画像における前記情報コードの前記大きさと前記所定の大きさとの大きさ関係を含む、
前記（１）〜（１３）のいずれか１項に記載の情報処理装置。
（１５）
前記撮像画像における前記情報コードの前記配置態様は、前記撮像画像における前記情報コードの角度を含み、
前記所定の配置態様は、所定の角度を含み、
前記関係は、前記撮像画像における前記情報コードの前記角度と前記所定の角度との角度関係を含む、
前記（１）〜（１４）のいずれか１項に記載の情報処理装置。
（１６）
前記所定の配置態様は、前記情報コードに対して個別に定められる、前記（１）〜（１５）のいずれか１項に記載の情報処理装置。
（１７）
前記取得部は、前記情報コードに含まれるデータを取得し、
前記制御部は、前記データに対応する配置態様を、前記所定の配置態様として決定する、
前記（１６）に記載の情報処理装置。
（１８）
前記撮像画像の表示画面において、前記所定の配置態様が示される、前記（１）〜（１７）のいずれか１項に記載の情報処理装置。
（１９）
コンピュータを、
情報コードが含まれる撮像画像における当該情報コードの配置態様と、当該情報コードに対応付けられた表示制御が行われる所定の配置態様との関係を、取得する取得部と、
ユーザに対する前記関係の通知を制御する制御部と、
として機能させるためのプログラム。
（２０）
情報コードが含まれる撮像画像における当該情報コードの配置態様と、当該情報コードに対応付けられた表示制御が行われる所定の配置態様との関係を、取得することと、
ユーザに対する前記関係の通知を制御することと、
を含む情報処理方法。
【手続補正１５】
【補正対象書類名】図面
【補正対象項目名】図１６
【補正方法】変更
【補正の内容】
【図１６】
2014115939.tif 000001
【手続補正１６】
【補正対象書類名】図面
【補正対象項目名】図１７
【補正方法】変更
【補正の内容】
【図１７】
2014115939.tif 000002